(57)【特許請求の範囲】
【請求項１】
照明光学系からの測定光束を被検レンズに投影して、前記被検レンズを透過する前記測定光束を受光光学系の受光手段で受光すると共に、前記受光手段からの測定信号を基に前記被検レンズの多数の点における座標及び屈折力特性を求める演算制御手段を備えるレンズメータにおいて、
前記演算制御手段は、前記被検レンズが累進多焦点レンズの場合、前記被検レンズの遠用部，累進部，近用部を円柱度数の変化から求め、前記遠用部の左右方向のプリズム値が「０」となる座標及び前記座標における上下線を求めると共に、帯状に傾斜する前記累進部の幅方向中心を通る累進線を求めて、前記上下線と累進線の交点の座標より所定距離上方の位置を遠用アイポイントとして求めることを特徴とするレンズメータ。
【請求項２】
照明光学系からの測定光束を被検レンズに投影して、前記被検レンズを透過する前記測定光束を受光光学系の受光手段で受光すると共に、前記受光手段からの測定信号を基に前記被検レンズの多数の点における座標及び屈折力特性を求める演算制御手段を備えるレンズメータにおいて、
前記演算制御手段は、前記被検レンズが累進多焦点レンズの場合、前記被検レンズの遠用部，累進部，近用部を円柱度数の変化から求め、帯状に傾斜する前記累進部の幅方向中心を通る累進線を求めると共に、前記近用部の加入度数が略同じ範囲の中央部であって前記累進線上の位置の座標を近用アイポイントとして求めることを特徴とするレンズメータ。
【請求項３】
照明光学系からの測定光束を被検レンズに投影して、前記被検レンズを透過する前記測定光束を受光光学系の受光手段で受光すると共に、前記受光手段からの測定信号を基に前記被検レンズの多数の点における座標及び屈折力特性を求める演算制御手段を備えるレンズメータにおいて、
前記演算制御手段は、前記被検レンズが累進多焦点レンズの場合、前記被検レンズの遠用部，累進部，近用部を円柱度数の変化から求め、前記遠用部の左右方向のプリズム値が「０」となる座標及び前記座標における上下線を求め、帯状に傾斜する前記累進部の幅方向中心を通る累進線を求めて、前記上下線と累進線の交点の座標より所定距離上方の位置を遠用アイポイントとして求めると共に、前記近用部の加入度数が略同じ範囲の中央部であって前記累進線上の位置の座標を近用アイポイントとして求めることを特徴とするレンズメータ。
【請求項４】
請求項３に記載のレンズメータにおいて、前記被検レンズは眼鏡の左右のレンズ枠にそれぞれ枠入れされた眼鏡レンズであり、前記演算制御手段は左右の眼鏡レンズの遠用アイポイントの座標から左右の眼鏡レンズの遠用アイポイント間隔を求めることを特徴とするレンズメータ。
【請求項５】
請求項３に記載のレンズメータにおいて、前記被検レンズは眼鏡の左右のレンズ枠にそれぞれ枠入れされた眼鏡レンズであり、前記演算制御手段は左右の眼鏡レンズの近用アイポイントの座標から左右の眼鏡レンズの近用アイポイント間隔を求めることを特徴とするレンズメータ。
【請求項６】
請求項３に記載のレンズメータにおいて、前記被検レンズは眼鏡の左右のレンズ枠にそれぞれ枠入れされた眼鏡レンズであり、前記演算制御手段は左右の眼鏡レンズの遠用アイポイントの座標から左右の眼鏡レンズの遠用アイポイント間隔を求めると共に、前記演算制御手段は左右の眼鏡レンズの近用アイポイントの座標から左右の眼鏡レンズの近用アイポイント間隔を求めることを特徴とするレンズメータ。
【請求項７】
請求項４〜６のいずれか一つに記載のレンズメータにおいて、少なくとも前記左右の眼鏡レンズの累進部及びアイポイントを表示させる表示装置と、前記眼鏡フレームの装用者の瞳孔間距離を入力する距離入力手段を備え、前記演算制御手段は前記間隔測定手段で測定されたアイポイント間隔と前記距離入力手段で入力された瞳孔間距離とに基づいて眼の画像を前記累進部及びアイポイントに重ねて前記表示装置に表示させると共に、前記演算制御手段は前記眼の画像を前記遠用アイポイントから近用アイポイントに輻輳させたときの状態を前記表示装置上でシュミレーション可能に設定されていることを特徴とするレンズメータ。
【発明の詳細な説明】
【０００１】
【発明の属する技術分野】
この発明は、被検レンズの屈折特性からアイポイントを求める様にしたレンズメータに関するものである。
【０００２】
【従来の技術】
従来のレンズメータには、累進多焦点レンズの累進部の加入度を二次元的（平面的）に画像表示する様にしたもの（特開平５−２８１０９０号公報参照）が考えられている。また、従来のレンズメータには、累進多焦点レンズの遠用部及び之に連続する累進部，近用部と歪み領域との境界線を求めて、求めた境界線を二次元的（平面的）に画像表示する様にしたものが考えられている（特願平８−２５９１７０参照）。
【０００３】
このレンズメータでは、多数の小孔を配列した多孔絞板や多数のレンズを配列したレンズアレイ板を用いて、多数の点における屈折特性を同時に検出して、検出信号から多数の点における屈折特性を演算により求める様にしている。そして、求めた屈折特性値をマッピング表示して、遠用部，累進部，近用部，歪み領域等が区別可能な境界線を画像表示させるようにしている。
【０００４】
【発明が解決しようとする課題】
この様なレンズメータでは、累進多焦点レンズの遠用アイポイントや近用アイポイントの位置を正確に求めることができるのが望ましい。
【０００５】
また、左右の眼鏡レンズの遠用アイポイント間隔や近用アイポイント間隔が眼鏡使用者の遠用瞳孔間距離（遠用ＰＤ）近用瞳孔間距離（近用ＰＤ）と一致しているか否かの判断をできるのが望ましい。
【０００６】
そこで、この発明の第１の目的は、累進多焦点レンズのアイポイントの位置を正確に求めることができるレンズメータを提供することにある。
【０００７】
また、この発明の第２の目的は、左右の眼鏡レンズのアイポイント間隔を求めることができるレンズメータを提供することにある。
【０００８】
更に、この発明の第３の目的は、左右の眼鏡レンズの遠用アイポイント間隔や近用アイポイント間隔が眼鏡使用者の遠用瞳孔間距離（遠用ＰＤ）近用瞳孔間距離や（近用ＰＤ）と一致しているか否かの判断をできるレンズメータを提供することにある。
【０００９】
【課題を解決するための手段】
この第１の目的を達成するため請求項１の発明は、照明光学系からの測定光束を被検レンズに投影して、前記被検レンズを透過する前記測定光束を受光光学系の受光手段で受光すると共に、前記受光手段からの測定信号を基に前記被検レンズの多数の点における座標及び屈折力特性を求める演算制御手段を備えるレンズメータにおいて、前記演算制御手段は、前記被検レンズが累進多焦点レンズの場合、前記被検レンズの遠用部，累進部，近用部を円柱度数の変化から求め、前記遠用部の左右方向のプリズム値が「０」となる座標及び前記座標における上下線を求めると共に、帯状に傾斜する前記累進部の幅方向中心を通る累進線を求めて、前記上下線と累進線の交点の座標より所定距離上方の位置を遠用アイポイントとして求めるレンズメータとしたことを特徴とする。
【００１０】
また、第１の目的を達成するため請求項２の発明は、照明光学系からの測定光束を被検レンズに投影して、前記被検レンズを透過する前記測定光束を受光光学系の受光手段で受光すると共に、前記受光手段からの測定信号を基に前記被検レンズの多数の点における座標及び屈折力特性を求める演算制御手段を備えるレンズメータにおいて、前記演算制御手段は、前記被検レンズが累進多焦点レンズの場合、前記被検レンズの遠用部，累進部，近用部を円柱度数の変化から求め、帯状に傾斜する前記累進部の幅方向中心を通る累進線を求めると共に、前記近用部の加入度数が略同じ範囲の中央部であって前記累進線上の位置の座標を近用アイポイントとして求めるレンズメータとしたことを特徴とする。
【００１１】
更に、第１の目的を達成するため請求項３の発明は、照明光学系からの測定光束を被検レンズに投影して、前記被検レンズを透過する前記測定光束を受光光学系の受光手段で受光すると共に、前記受光手段からの測定信号を基に前記被検レンズの多数の点における座標及び屈折力特性を求める演算制御手段を備えるレンズメータにおいて、前記演算制御手段は、前記被検レンズが累進多焦点レンズの場合、前記被検レンズの遠用部，累進部，近用部を円柱度数の変化から求め、前記遠用部の左右方向のプリズム値が「０」となる座標及び前記座標における上下線を求め、帯状に傾斜する前記累進部の幅方向中心を通る累進線を求めて、前記上下線と累進線の交点の座標より所定距離上方の位置を遠用アイポイントとして求めると共に、前記近用部の加入度数が略同じ範囲の中央部であって前記累進線上の位置の座標を近用アイポイントとして求めるレンズメータとしたことを特徴とする。
【００１２】
また、第２の目的を達成するため請求項４の発明は、請求項３に記載のレンズメータにおいて、前記被検レンズは眼鏡の左右のレンズ枠にそれぞれ枠入れされた眼鏡レンズであり、前記演算制御手段は左右の眼鏡レンズの遠用アイポイントの座標から左右の眼鏡レンズの遠用アイポイント間隔を求めるレンズメータとしたことを特徴とする。
【００１３】
また、第２の目的を達成するため、請求項５の発明は、請求項３に記載のレンズメータにおいて、前記被検レンズは眼鏡の左右のレンズ枠にそれぞれ枠入れされた眼鏡レンズであり、前記演算制御手段は左右の眼鏡レンズの近用アイポイントの座標から左右の眼鏡レンズの近用アイポイント間隔を求めるレンズメータとしたことを特徴とする。
【００１４】
更に、第２の目的を達成するため、請求項６の発明は、請求項３に記載のレンズメータにおいて、前記被検レンズは眼鏡の左右のレンズ枠にそれぞれ枠入れされた眼鏡レンズであり、前記演算制御手段は左右の眼鏡レンズの遠用アイポイントの座標から左右の眼鏡レンズの遠用アイポイント間隔を求めると共に、前記演算制御手段は左右の眼鏡レンズの近用アイポイントの座標から左右の眼鏡レンズの近用アイポイント間隔を求めるレンズメータとしたことを特徴とする。
【００１５】
また、第３の目的を達成するため、請求項７の発明は、請求項４〜６のいずれか一つに記載のレンズメータにおいて、少なくとも前記左右の眼鏡レンズの累進部及びアイポイントを表示させる表示装置と、前記眼鏡フレームの装用者の瞳孔間距離を入力する距離入力手段を備え、前記演算制御手段は前記間隔測定手段で測定されたアイポイント間隔と前記距離入力手段で入力された瞳孔間距離とに基づいて眼の画像を前記累進部及びアイポイントに重ねて前記表示装置に表示させると共に、前記演算制御手段は前記眼の画像を前記遠用アイポイントから近用アイポイントに輻輳させたときの状態を前記表示装置上でシュミレーション可能に設定されているレンズメータとしたことを特徴とする。
【００１６】
【発明の実施の形態】
以下、この発明の実施の形態を図面に基づいて説明する。
【００１７】
図１において、１はレンズメータの本体、２は本体１の正面上部（前側上部）に設けられたＣＲＴ又は液晶ディスプレイ等の表示装置（表示手段）、２ａは表示装置２の表示画面（表示部）である。
【００１８】
本体１の正面には、上下方向中央部に位置して上光学部品収納部３が設けられ、上光学部品収納部３の下方に位置させて下光学部品収納部４が設けられている。この下光学部品収納部４の上壁４ａには上方に突出するレンズ受５が設けられている。このレンズ受５は筒状で円錐台上に形成されている。Ｌは、レンズ受５上に当接させられた被検レンズの一つである。このレンズ受５の中心が測定光学系の測定光軸Ｏとなる。
【００１９】
上光学部品収納部３内には、光源からの測定光束を被検レンズＬに向けて投影する測定光束投影光学系が設けられている。また、下光学部品収納部４内には、被検レンズＬを透過した測定光束を受光手段である図２のＣＣＤ（エリアセンサ即ち二次元受光センサ）６に案内する受光光学系（図示せず）が設けられている。これらの測定光束投影光学系や受光光学系は測定光学系を構成していて、この測定光学系には従来周知の構成が用いられているので、その詳細な説明は省略する。
【００２０】
また、下光学部品収納部４の上壁４ａ上には、前面が左右及び上下（鉛直）に向けて延びる板状のレンズテーブル７が配設されている。このレンズテーブル７は、左右に細長く延びていて、図示しないガイド手段で本体１の正面に前後移動調整可能に保持されている。８は本体１の横側に前後回動可能に保持されたテーブル操作レバーで、このテーブル操作レバー８の前後回動によりレンズテーブル７が前後移動調整（調節）されるようになっている。
【００２１】
このレンズテーブル７の前後移動量は、図２のセンサ（前後移動距離測定手段）９で検出される様になっている。このセンサ９には、ポテンショメータやリニアセンサ等を用いることができる。この場合、レンズテーブル７の前後移動量は、リニアセンサによりレンズテーブル７の前後動を直線的に検出することにより得ても良いし、テーブル操作レバー８の回転量をポテンショメータで検出して、その回転量から得るようにしてもよい。
【００２２】
このレンズテーブル７の上縁部にはスライダ１０が左右動自在に保持され、このスライダ１０には鼻当支持部材１１が上下回動可能に保持されている。この鼻当支持部材１１、図示を略すスプリングで上方にバネ付勢されていると共に水平位置で上方への回動が規制されるようになっている。
【００２３】
この鼻当支持部材１１の左右移動量は、図２のセンサ（左右移動距離測定手段）１２で検出される様になっている。このセンサ１２には、ポテンショメータやリニアセンサ等を用いることができる。この場合、鼻当支持部材１１の左右移動量は、リニアセンサやポテンショメータによりスライダ１０の左右動を直線的に検出することにより得るようにしてもよいし，ロータリエンコーダで検出しても良い。
【００２４】
上述したＣＣＤ６のセンサ９，１２からの測定信号は、測定信号処理手段である演算制御回路（演算制御手段）１３に入力される。また、この演算制御回路１３には、画像処理回路（画像処理手段）１４，フレームメモリ１５，メモリ（記憶手段，記録手段）１６，情報記録再生装置（情報記録再生手段）１７が接続されている。
【００２５】
この演算制御回路１３は、測定光軸Ｏにおいて被検レンズＬの屈折特性を測定したときに、移動距離測定手段９，１２からの測定信号に基づいて、測定位置の座標を求め、この座標と測定した屈折特性とを関連づける（対応させる）様になっている。
【００２６】
また、本体１の正面上部には表示装置２の下縁に沿って操作パネル１ａが設けられている。この操作パネル１ａには複数のボタンＢ１〜Ｂｎが設けられていて、このボタンＢ１〜Ｂｎの操作により屈折特性測定モードやＰＤ（瞳孔間距離）入力モード等の切換及びＰＤの入力を行うことができる。
【００２７】
次に、この様な構成のレンズメータの作用を説明する。
【００２８】
電源スイッチ（図示せず）を投入して、レンズ受５の上に被検レンズＬを当接させると、上光学部品収納部３内の図示しない光源から測定光束が測定光学系（図示せず）を介して被検レンズＬに向けて投影される。一方、被検レンズＬを透過した測定光束は、下光学部品収納部４内の受光光学系（図示せず）を介して受光手段である図２のＣＣＤ（受光センサ）６に案内される。そして、このＣＣＤ６からの測定信号は演算制御回路１３に入力される。
【００２９】
この演算制御回路１３は、ＣＣＤ６からの測定信号を基に測定光軸Ｏにおける被検レンズＬの屈折特性値を求める。この屈折特性値には、球面度数Ｓ，円柱度数Ｃ，円柱軸角度Ａ等がある。
＜鼻当支持部材の左右移動操作に伴う表示＞
ところで、図３において、メガネＭには眼鏡レンズである被検レンズが装着されている。この被検レンズの屈折特性値を鼻当支持部材１１を利用する場合には、図３に示した様に、メガネＭの鼻当１７を鼻当支持部材１１に上方から当てている。この後、メガネ（眼鏡）Ｍの左右の眼鏡レンズＭＬL，ＭＬRのうち測定したい側のもの、例えば左側の眼鏡レンズＭＬLである被検レンズＬがレンズ受５の上方に位置するまで、スライダ１０及び鼻当支持部材１１を移動させる。この移動によりセンサ１２は、左右への移動距離の測定信号を出力する。この移動距離の原点は、左右方向の中央（レンズ受５に対応する位置）又はレンズテーブル７の左端或いは右端のいずれを取ることもできる。
（メガネの眼鏡レンズの模式的画像の表示）
そして、演算制御回路１３は、センサ１２の測定信号からスライダ１０がレンズ受５の左にあるか右にあるかを判断する。図３では、スライダ１０がレンズ受５よりも左側にあるので、演算制御回路１３は被検レンズＬがメガネＭの左側の眼鏡レンズであると判断して、図４に示したように表示装置２の表示画面２ａに左側の被検レンズのＬ（正面側から見たときの画像）の模式的な画像２０を表示させる。この際、画像２０には、遠用部２１，近用部２２及び遠用部２１から近用部までの累進部２３と、歪み領域２４，２５とを区別する境界線２６，２７が模式的に表示される。しかも、これに加えて、遠用部２１の遠用測定部（マーク）２１′と近用測定部（マーク）２２′が表示されると共に、表示画面２ａの中心にレンズ受５の中心（測定光学系の光軸Ｏ）を示す十字マークＴが表示される。
【００３０】
そして、作業者は、この図４の表示に従って、操作レバー８を操作してレンズテーブル７を前後動させると共に、スライダー１０を左右に移動させて、被検レンズＬの遠用測定部２１′に概ね対応する位置が十字マークＴに合うように（レンズ受５の測定光軸（測定光学系の測定光軸）Ｏに位置するように）移動させる。
【００３１】
この移動に伴い演算制御回路１３は、図４の表示画面における遠用測定部２１′の屈折特性値を測定すると共に、センサ９，１２の測定信号（移動量検出信号）から、画面表示における遠用測定部２１′のＸ−Ｙ平面（水平面）における座標Ｓ1を求めて、この遠用測定部２１′の座標Ｓ１を遠用測定部２１′の屈折特性と対応させてメモリ１６に記憶させる。
【００３２】
尚、この測定に際して、被検レンズＬが単焦点レンズであるか累進多焦点レンズであるかの判断を演算制御回路１３が行うまでは、被検レンズＬが単焦点レンズであるか累進多焦点レンズであるかが分からない。しかし、演算制御回路１３による判断が行われるまでの間も説明の便宜上、累進多焦点レンズである場合を想定して遠用測定部２１′や近用測定部２２′の用語を用いて説明している。この点は、以下も同じである。
＜レンズテーブル及び鼻当支持部材によるレンズの前後・左右移動操作＞
この後、作業者は、図４の表示画面２ａにおいて、遠用測定部２１′における十字マーク（光軸Ｏと一致）Ｔが近用測定部２２′まで移動するように、操作レバー８を前後に回動操作してレンズテーブル７を前後動させると共に、スライダー１０を左右に移動させて被検レンズＬを前後左右に移動させる。
【００３３】
この移動に伴い、演算制御回路１３は、図４の表示画面２ａ上での遠用測定部２１′から近用測定部２２′に至るまでの屈折特性値、即ち球面度数Ｓ，円柱度数Ｃ，円柱軸角度Ａ等を所定時間毎（数十分の１秒毎）又は所定距離（所定間隔）毎に測定して、各測定値をメモリ１６に記憶させる。この際、演算制御回路１３は、センサ９，１２の測定信号（移動量検出信号）から測定部のＸ−Ｙ平面（水平面）における座標Ｓi[ｉ＝１，２，３，・・・ｎ]を求めて、この測定部の座標Ｓｉを測定部の屈折特性と対応させてメモリ１６に記憶させる。
（単焦点レンズの屈折特性の表示）
そして、演算制御回路１３は、図４の表示画面２ａ上での遠用測定部２１′の球面度数と近用測定部２２′の球面度数の差を求める。この際、演算制御回路１３は、求めた差が所定値以上、例えば０．５Ｄ（０．５ディオプター）より小さいと判断した場合、被検レンズＬが単焦点レンズであるとして、屈折特性値である球面度数Ｓ，円柱度数Ｃ，円柱軸角度Ａ等を表示装置２の表示画面２ａに表示させる。
（累進多焦点レンズの屈折特性測定モード）
また、演算制御回路１３は、求めた差が所定値以上、例えば０．５Ｄ（０．５ディオプター）以上であると判断した場合、被検レンズＬが累進多少点焦点レンズであるとして、図５に示したような被検レンズＬの各座標における屈折特性値を求めて表示させるモードに切り替えて、加入度数ＡＤＤ，球面度数Ｓ，円柱度数Ｃ，円柱軸角度Ａ等を表示装置２の表示画面２ａの例えば右上に表示する。
【００３４】
そして、演算制御回路１３は、図４の遠用測定部２１′を示すマークＭ１を図５の如く座標Ｓ１に対応させて表示させる。
【００３５】
しかも、演算制御回路１３は、遠用測定部２１′から近用測定部２２′までの各測定部Ｓｉにおける円柱度数の差を求めて、求めた円柱度数の差を座標Ｓｉに関連（対応）させてメモリ１６に記憶させると共に、図５に示したように棒状（又は円柱）のバーＢi[ｉ＝１，２，３，・・・ｎ]の高さ量に変換して、座標Ｓi-1におけるバーＢi-1を測定終了マーク及び円柱屈折特性値として表示させる。そして、次の測定位置を示す部分に十字マークＴをバーＢi-1の隣に表示させる。
【００３６】
この様な表示は、演算制御回路１３が画像処理回路１５を介してフレームメモリ１４にマークＭ１の画像データとバーＢi-1の画像データを構築することによって行われる。
【００３７】
この後、作業者は、図５の表示画面２ａの表示を見ながら、画面２ａに表示されたマークＭ１やバーＢi-1以外の部分を測定するように、即ち十字マーク（座標Ｓiの測定位置）ＴがマークＭ１やバーＢi-1以外の部分に移動するように、例えば図６の矢印３０，図７の矢印３１，図８の矢印３２で示した方向に十字マークＴが移動するようにする。この十字マークＴの移動は、操作レバー８を操作してレンズテーブル７を前後動させると共に、スライダー１０を左右に移動させて、メガネＭの被検レンズＬをレンズ受５及び測定光軸Ｏに対して前後左右に移動させることで達成できる。
【００３８】
この移動に伴い、演算制御回路１３は、所定時間（所定間隔）毎、例えば数分の１秒毎又は数十分の１秒毎、或いは所定距離（所定間隔）毎、例えば数分の１ｍｍ又は数十分の１ｍｍ毎に、移動位置の座標Ｓi[ｉ＝１，２，３，・・・ｎ]と屈折特性を順次測定して、座標Ｓiにおける屈折特性のうちの円柱度数ＣXと遠用測定部２１′の円柱度数Ｃ0の差を順次求める。
【００３９】
そして、演算制御回路１３は、求めた差を座標Ｓiに対応してメモリ１６に記憶させると共に、図６〜図９に示したように棒状（又は円柱）のバーＢiの高さ量に変換して、バーＢi-1[ｉ＝１，２，３，・・・ｎ]を測定毎に画面２ａの画像２０に順次追加的に重ねて表示させる。
【００４０】
従って、作業者は、画面２ａを見ることで、バーＢi-1が表示されていない部分の屈折特性がいまだ測定されていない部分であると判断できるので、測定されていない部分が測定光軸Ｏまで移動するように被検レンズＬを移動させることができる。
【００４１】
また、この様なバーＢiを求めてバーＢi-1を表示させる作業を行うことで、遠用部２１，近用部２２，累進部２３と歪み領域２４，２５とを区別する境界線２６，２７を図７，図８，図９の様にして順次求めて画像表示することができる。この境界線２６，２７は、例えば、座標Ｓiにおける屈折特性のうちの円柱度数ＣXと遠用測定部２１′の円柱度数Ｃ0の差が０．２５Ｄ以上となる部分を求めて線を引くことで求められる。尚、境界線２６，２７の部分はその両側の色を異ならせることで明示するようにすることもできる。
【００４２】
尚、この測定に際して、十字マークＴに代えてバー表示Ｂiの表示を行い、表示されたバーＢiの色を他のバーＢi-1までの色と異ならせて、測定位置のバー表示を行わせることもできる。
【００４３】
また、本実施例では、被検レンズＬをレンズ受５の光軸Ｏに対して前後左右に移動させたときに、表示画面２ａに画像表示したバーＢi-1は移動させず、十字マークＴをレンズテーブル７の前後動及びスライダー１０の左右動に連動させて移動させる様にしたが、必ずしもこれに限定されるものではない。即ち、十字マークＴを表示画面２ａの中心に固定表示させる一方、レンズテーブル７を前後動させると共にスライダー１０の左右動させたときに、レンズテーブル７及びスライダー１０と一体に移動する被検レンズＬの移動に応じて表示画面２ａに表示されたバーＢi-1が被検レンズＬと同じ方向に移動するように、レンズテーブル７の前後動及びスライダー１０の左右動に連動させて、表示画面２ａに画像表示したバーＢi-1を移動させる様にしてもよい。
【００４４】
この様に、レンズ受５を用いて座標Ｓiにおける被検レンズＬの屈折特性値を測定するので、被検レンズＬは移動位置に拘わらずレンズ受５側の面がレンズ受５の上縁全周に渡って良好に当接することになる。この結果、被検レンズＬのレンズ受５に対する移動に拘わらず、被検レンズＬのレンズ受５側の面の測定光軸Ｏ上における高さが常に一定となるので、各座標Ｓiにおける屈折特性を測定しても、その測定精度が高い状態で屈折特性を測定できる。従って、この測定により得られるバーＢi-1によるマッピング表示の精度も向上する。
【００４５】
この様なマッピング表示を測定するレンズメータとしては、多数の小レンズを縦横に配列したレンズアレイを用いて、被検レンズの多数の点の屈折特性を同時に測定する様にしたものもある。しかし、被検レンズの両屈折面はカーブしていることに加えて、レンズアレイを用いたものでは平行光束を用いて被検レンズ各部の屈折特性を同時に測定するものであるため、被検レンズの周縁に向かうに従って平行光束は被検レンズの屈折面に斜めに入射することになる。この結果、この様なレンズアレイを用いたレンズメータでは、被検レンズの周縁に向かうに従って屈折特性の測定精度が低下することになる。
【００４６】
この点、上述した実施例の様に測定してバー表示させることで、被検レンズの中央から周縁までいずれの位置で測定しても、その測定精度は低下しない。しかも、上述した実施例の様に測定してバー表示させることで、レンズアレイを用いたものに比べて屈折測定の測定精度が被検レンズの周縁部に向かうに従って遙かに向上する。
【００４７】
また、バーＢiの色を所定球面度数毎に異ならせて表示する事で、球面度数の表示を同時に行うことができる。例えば、バーＢiの色を球面度数が０．２５Ｄ（０．２５ディオプター）変化する毎に異ならせて表示する事で、円柱度数と球面度数を同時に表示させることもできる。この場合、バーＢiに表示させる表示色を左側のＣiで示した位置にディオプターに対応させて表示させて、どの色のバーがどの度数になっているかを把握できる様にする。
【００４８】
更に、以上説明した実施例では、円柱度数による三次元のバー表示にマッピングをさせる様にした例を示したが、これに限定されるものではない。例えば、球面度数又は加入度数による三次元のバー表示によるマッピングを行い、このマッピングのバーの球面度数が０．２５Ｄ変化する毎にバーの色を異ならせるようにしても良い。この場合、図１０に示したように、遠用部から近用部までの加入度数を示すバーＫ1〜Ｋiを直線的に配列表示させるようにしても良い。尚、図１０において二点鎖線４０で示した部分は、実際には表示画面２ａに表示されないが、累進部２３や近用部２２等を示す便宜上図示したものである。
【００４９】
この様な、円柱度数と球面度数との同時表示により、累進部や近用部における円柱度数と球面度数を正確に把握して、被加工レンズＬの品質の確認を正確に行うことができる。
＜測定後の任意位置の屈折特性表示＞
また、以上説明したように各座標Ｓiにおける屈折特性の測定精度が低下しないので、上述した三次元のマッピング精度が高く、且つ、各座標Ｓiにおける屈折特性も被検レンズＬの中心に近いか周縁に近いかに拘わらず同じ精度で測定できる。この結果、上述した様な測定によって図９に示したような屈折特性値のマッピングの画像が最終的に得られた後において、十字マークＴ或いはカーソル等の指示手段を表示画面２ａのマッピング表示画像の上で移動させる位置移動手段や、カーソルキー（位置移動手段）を本体１に設けるか、又はマウス（位置移動手段）を本体１に接続して使用可能に設けるかして、カーソルキーやマウス等の位置移動手段により十字マークＴ或いはカーソル等の指示手段を表示画面２ａ上で移動させることにより、指示手段が指示する位置の屈折特性（ＡＤＤ，Ｓ，Ｃ，Ａ）をメモリ１６から読み出して正確に表示させるようにしてもよい。この情報は、情報記録再生装置１７に記録しておいて、情報記録再生装置１７から読み出すようにしても良い。
【００５０】
この様にすることで、バーＢiによるマッピング表示後に、各座標の測定結果を知りたい場合でも、必要な場所の屈折特性を簡易且つ迅速に知ることができる。
【００５１】
尚、以上説明した実施例では、累進多焦点レンズの屈折特性（屈折特性値）をバーＢi-1で棒グラフ状に三次元的に表示させるようにした例を示したが、図１１〜図１４に示したように累進多焦点レンズの屈折特性（屈折特性値）をワイヤーフレームＷＦで三次元的に表示させるようにしても良い。この場合も、作用は上述したバー表示による実施例と同じであるので、図５〜図９と同じ部分又は類似する部分には図５〜図９と同じ部符号を付して、その説明は省略する。この場合、バーＢiは角柱状に表示され、バーＢiの上面は隣接するバーの上面に連続するように演算制御回路１３により画像処理される。
＜測定後の遠用部，累進部，近用部の屈折特性表示＞
また、演算制御回路（処理手段）１３は、屈折特性値（円柱度数や加入度数）のデータをメモリ１６から読み出して、図１５に示したようにワイヤーフレームＷＦで示したバーＢiによる円柱度数のマッピング表示を行うと共に、このマッピング表示に遠用部から近用部までの加入度数を示すバーＫ1〜Ｋiを重ねて表示させる。しかも、演算制御回路１３は、歪み領域２４，２５と、歪み領域２４，２５以外の部分との境界を示す境界線２６，２７を重ねて表示させる。この境界線２６，２７は、上述したようにして求める。
【００５２】
一方、演算制御回路１３は、この表示に用いた屈折特性値である球面度数，円柱度数と加入度数等のデータから遠用部（遠用部２１に対応）５０，累進部（累進部２３に対応）５１，近用部（近用部２２に対応）５２を求める。この遠用部５０は遠用範囲５１ａと遠用アイポイントＥＰ１を有し、近用部５２は近用範囲５２ａと近用アイポイントＥＰ２を有する。
【００５３】
しかも、演算制御回路１３は、歪み領域２４，２５以外の座標の球面度数（又は加入度数）が最も小さい範囲で且つ変化が殆どない範囲を求めて遠用範囲５０ａとし、歪み領域２４，２５以外の座標間の加入度数の変化が所定値以上の部分を求めて累進部５１とし、歪み領域２４，２５以外の座標の加入度数が大きい範囲で且つ変化が殆どない部分を求めて近用範囲５２ａとする。
【００５４】
また、演算制御回路１３は、求めた遠用部５０の遠用範囲５０ａ，累進部５１の範囲５１ｂ及び近用部５２の近用範囲５２ｂを示す境界線５０ｂ、５１ｂ、５２ｂをマッピング表示の画像上に重ねて表示させることで、遠用部５０，累進部５１，近用部５２を区別可能に表示させる。
【００５５】
この様にすることで、累進部や近用部等の屈折特性値を正確に求めることができる。しかも、マッピング表示から累進部や近用部の特定の範囲を自動的に正確に指定して、指定範囲の正確な屈折特性値を自動的に求めることができると共に、この屈折特性値を求める作業にかかる時間を短縮できる。
＜アイポイントの特定＞
更に、演算制御回路１３は、図１６に示したように、累進部（類進帯）５１の幅方向の中心を通る累進線（通常は約１０°に設定されている）５３を求めると共に、遠用部５０の左右方向のプリズム量が「０」になる点を通る垂直線（上下線、すなわち装用したときの上下方向の線）ｈを求めて、この累進線５３と垂直線ｈの交点ｐを求める。この交点Ｐの部分は、累進部５１に限りなく近く加入度数が生じる可能性がある。従って、演算制御回路１３は、この交点Ｐより所定距離ｂだけ上方の位置の加入度数の変化ない点を含む所定の範囲を遠用アイポイントＥＰ１として、遠用アイポイントＥＰ１の座標を交点Ｐの座標と所定距離ｂから求める。この所定距離（設定距離）ｂは、僅かな値で予め設定された定数である。
【００５６】
また、演算制御回路１３は、累進線５３上で且つ近用部の加入度数の変化が略ない範囲の略中心を近用アイポイントＥＰ２としてその座標を求める。
【００５７】
この様にして演算制御回路１３は、アイポイントＥＰ１，ＥＰ２の座標を自動的に正確に精度高く求めて、求めたアイポイントＥＰ１，ＥＰ２の座標を表示装置２の表示画面２ａに表示させると共に、メモリ１６に記憶させる。
【００５８】
また、上述した円柱度数ＣXと遠用測定部２１′の円柱度数Ｃ0の差がＣX＝Ｃ0か、或いはこの差が略同じ（所定範囲内）ときであって、累進部５１，近用部５２側における境界線２６，２７間の幅が所定値以上で、且つこの所定値以上の幅が連続していて、この連続する部分の面積ＳXが所定面積Ｓ0以上となったとき（ＳX−Ｓ0＝０又はＳX−Ｓ0＞０）の近用部５２の加入度数の値の部分の座標を近用アイポイントＥＰ２としてメモリ１６にオートメモリさせる。同様にして、遠用部５０のアイポイントＥＰ１の座標を求めることができる。この様なアイポイントの座標を求める方法は、演算制御回路１３によって行われる。しかも、この方法は、レンズが小玉付の二重焦点レンズの場合にも適用できる。
【００５９】
更に、演算制御回路１３により累進線５３の傾斜角度や座標及び累進部５１の幅や長さ等を求めさせて、レンズのタイプを演算制御回路１３により求めるようにすることができる。この場合、レンズのタイプとしては、例えば近用明視域が広い読書用のタイプ、すっきりした遠用視野を持つアウトドアタイプ、近用を重視した室内専用タイプ等その他のタイプ等をあげることができる。
【００６０】
尚、この様な遠用部，累進部，近用部の屈折特性表示の処理は、多孔絞り板やレンズアレイを用いて求めた屈折特性値のマッピング表示の画像や屈折特性値の測定データを用いてもできるが、上述した実施例の様にして被検レンズを移動させながら求めた屈折特性値を用いることで、その精度を遙かに向上させることができる。
【００６１】
更に、上述した屈折特性のバー表示は、球面度数Ｓが−のときと＋のときでは延びる方向を反対にしても良いし、球面度数Ｓが−のときと＋のときでも絶対値表示として同じ方向に延びるように画像表示することもできる。
＜レンズアイポイント間隔の適正判断＞
（ｉ）メガネＭの左右の眼鏡レンズＭＬL，ＭＬRの屈折特性表示
上述したようなアイポイントＥＰ１，ＥＰ２の座標は、図３に示したメガネ（眼鏡）Ｍの左右の眼鏡レンズＭＬL，ＭＬRについてそれぞれ求める。例えば図３に示したように、メガネＭの左側の眼鏡レンズＭＬLをレンズ受５上に配設して、メガネＭの左側の眼鏡レンズＭＬLのアイポイントＥＰ１，ＥＰ２の座標をまず求める。次に、メガネＭの鼻当１７を鼻当支持部材１１に指示させた状態で、メガネＭを図３中左方に移動させてメガネＭの右の眼鏡レンズＭＬRをレンズ受５上に移動させて、メガネＭの右側の眼鏡レンズＭＬRのアイポイントＥＰ１，ＥＰ２の座標を求める。この移動に際して、鼻当支持部材１１も左方にレンズテーブル７上を移動させられ、この鼻当支持部材１１の移動量は図２のセンサ１２で検出される。このセンサ１２からの検出信号は演算制御回路１３に入力される。
【００６２】
この様にして演算制御回路１３は、メガネＭの左右の眼鏡レンズＭＬL，ＭＬRのアイポイントＥＰ１，ＥＰ２の座標を求めると、次に左の眼鏡レンズＭＬLの遠用アイポイントＥＰ１の座標と右の眼鏡レンズＭＬRの遠用アイポイントＥＰ１の座標から左右の眼鏡レンズＭＬL，ＭＬRの遠用アイポイントＥＰ１，ＥＰ１の間隔を遠用アイポイント間隔（遠用アイポイント距離）ＥＰＤ１として求めると共に、左の眼鏡レンズＭＬLの近用アイポイントＥＰ２の座標と右の眼鏡レンズＭＬRの近用アイポイントＥＰ２の座標から左右の眼鏡レンズＭＬL，ＭＬRの近用アイポイントＥＰ２，ＥＰ２の間隔を近用アイポイント間隔（近用アイポイント距離）ＥＰＤ２として求める。
【００６３】
そして、演算制御回路１３は、この求めた左右の眼鏡レンズＭＬL，ＭＬRのアイポイントＥＰ１，ＥＰ２や遠用部５０，累進部５１，近用部５２、境界線２６，２７、累進線５３と垂直線ｈ等を図１６（ａ）に示したように表示画面２ａに表示させる。尚、図１６（ｂ）は、図１６（ａ）のデータにメガネフレームＭＦを合成して表示させた例を示したものである。
(ii)眼鏡レンズＭＬL，ＭＬRの使用適正シュミレーション
一方、メガネＭの使用者の遠用ＰＤ（遠用瞳孔間距離）をＰＤメータやその他の測定手段により測定して、測定したＰＤを操作パネル１ａのボタンＢ１〜Ｂｎを操作してレンズメータの演算制御回路１３に入力する。また、近用ＰＤがある場合には、このデータも演算制御回路１３に入力する。これらの入力は、眼鏡レンズＭＬL，ＭＬRの屈折特性の測定前でも後でも良い。
【００６４】
そして、演算制御回路１３は、この入力されたＰＤから左右眼の光軸ＥＯL，ＥＯR及び眼の模式的な輪郭像を（ｉ）の表示画像に重ねて表示させる。従って、メガネＭの遠用アイポイント間隔ＥＰＤ１がメガネＭの使用者の遠用ＰＤ（瞳孔間距離）であるＦＰＤと一致していれば、遠用アイポイント間隔ＥＰＤ１とメガネＭの使用者の遠用ＰＤであるＦＰＤとが図１７の如く一致していることになる。しかし、ずれていれば例えば図１８の様にずれた状態が表示される。
【００６５】
また、使用者の近用ＰＤの入力がある場合には、遠用ＰＤと同様に（ｉ）の表示画像に重ねて表示させる。この場合も、メガネＭの遠用アイポイント間隔ＥＰＤ２がメガネＭの使用者の近用ＰＤ（瞳孔間距離）であるＮＰＤと一致していれば、近用アイポイント間隔ＥＰＤ２とメガネＭの使用者の近用ＰＤとが図１７の如く一致していることになる。しかし、ずれていれば例えば図１８の様にずれた状態が表示される。
【００６６】
更に、近用ＰＤの入力がない場合には、遠用ＰＤから輻輳させたときの標準的な値を基に、左右眼の光軸ＥＯL，ＥＯR及び眼の模式的な輪郭像を表示画面２ａ上で近用側に輻輳するように移動させて、左右眼の光軸ＥＯL，ＥＯR及び眼の模式的な輪郭像が推進部５１，５１から外れるか否かをシュミレーションして、実際に使用しているメガネＭが処方値に基づいて適正に作られているか否かを判断することができる。この様なシュミレーションは、遠用ＰＤ及び近用ＰＤが分かっている場合でも実行することができる。
（変形例）
また、左右眼の前眼部ＥR，ＥLの位置は、遠用視状態と近用視状態で位置が変わることがないので、遠用視したときと近用視したときでも、図１７，図１８に示したように前眼部ＥR，ＥLの位置は上方と下方に変位することはない。
【００６７】
しかし、近用視状態にあるときには、眼ＥR，ＥLの光軸ＥＯR，ＥＯLが図１９に示したように下方に傾斜する。従って、この傾斜する眼ＥR，ＥLの光軸ＥＯR，ＥＯLと眼鏡レンズＬが交差した位置に眼ＥR，ＥL（前眼部）が投影されているとすることにより、近用視状態の眼ＥR，ＥLを図１７，図１８のごとく図示できる。この様にして、図１７，図１８では遠用視状態と近用視状態の眼ＥR，ＥLを上下に移動した状態で図示しているが、必ずしもこれに限定されるものではない。
【００６８】
例えば、図２０に示したように、近用視した状態の光軸光軸ＥＯR，ＥＯLに沿う瞳孔の向きを円柱状の瞳孔柱Ｅａにして表示させることにより、近用視状態のシュミレーションを行うようにしても良い。また、図２１に示したように、近用視状態の眼ＥR，ＥLの光軸ＥＯR，ＥＯLのみを破線で示したように表示させても良い。
（その他）
以上説明した実施例では、演算制御回路１３が図４の表示画面２ａ上での遠用測定部２１′の球面度数と近用測定部２２′の球面度数の差を求めて、求めた差が所定値以上、例えば０．５Ｄ（０．５ディオプター）より小さいと判断した場合、被検レンズＬが単焦点レンズであると判断し、求めた差が所定値以上、例えば０．５Ｄ（０．５ディオプター）以上であると判断した場合、被検レンズＬが累進多少点焦点レンズであると判断して、屈折特性を求めるようにしたが、必ずしもこれに限定されるものではない。この判断は作業者が行って、測定モードを作業者が切り換えて上述したような種々の測定や種々の表示を演算制御回路行わせるようにしても良い。
【００６９】
【発明の効果】
以上説明したように、請求項１の発明は、照明光学系からの測定光束を被検レンズに投影して、前記被検レンズを透過する前記測定光束を受光光学系の受光手段で受光すると共に、前記受光手段からの測定信号を基に前記被検レンズの多数の点における座標及び屈折力特性を求める演算制御手段を備えるレンズメータにおいて、前記演算制御手段は、前記被検レンズが累進多焦点レンズの場合、前記被検レンズの遠用部，累進部，近用部を円柱度数の変化から求め、前記遠用部の左右方向のプリズム値が「０」となる座標及び前記座標における上下線を求めると共に、帯状に傾斜する前記累進部の幅方向中心を通る累進線を求めて、前記上下線と累進線の交点の座標より所定距離上方の位置を遠用アイポイントとして求める様に構成したので、累進多焦点レンズの遠用アイポイント位置を正確に求めることができる。
【００７０】
また、請求項２の発明は、照明光学系からの測定光束を被検レンズに投影して、前記被検レンズを透過する前記測定光束を受光光学系の受光手段で受光すると共に、前記受光手段からの測定信号を基に前記被検レンズの多数の点における座標及び屈折力特性を求める演算制御手段を備えるレンズメータにおいて、前記演算制御手段は、前記被検レンズが累進多焦点レンズの場合、前記被検レンズの遠用部，累進部，近用部を円柱度数の変化から求め、帯状に傾斜する前記累進部の幅方向中心を通る累進線を求めると共に、前記近用部の加入度数が略同じ範囲の中央部であって前記累進線上の位置の座標を近用アイポイントとして求める様に構成したので、累進多焦点レンズの近用アイポイントの位置を正確に求めることができる。
【００７１】
更に、請求項３の発明は、照明光学系からの測定光束を被検レンズに投影して、前記被検レンズを透過する前記測定光束を受光光学系の受光手段で受光すると共に、前記受光手段からの測定信号を基に前記被検レンズの多数の点における座標及び屈折力特性を求める演算制御手段を備えるレンズメータにおいて、前記演算制御手段は、前記被検レンズが累進多焦点レンズの場合、前記被検レンズの遠用部，累進部，近用部を円柱度数の変化から求め、前記遠用部の左右方向のプリズム値が「０」となる座標及び前記座標における上下線を求め、帯状に傾斜する前記累進部の幅方向中心を通る累進線を求めて、前記上下線と累進線の交点の座標より所定距離上方の位置を遠用アイポイントとして求めると共に、前記近用部の加入度数が略同じ範囲の中央部であって前記累進線上の位置の座標を近用アイポイントとして求める様に構成したので、累進多焦点レンズの遠用アイポイントや近用アイポイントの位置を正確に求めることができる。
【００７２】
また、請求項４の発明は、請求項３に記載のレンズメータにおいて、前記被検レンズは眼鏡の左右のレンズ枠にそれぞれ枠入れされた眼鏡レンズであり、前記演算制御手段は左右の眼鏡レンズの遠用アイポイントの座標から左右の眼鏡レンズの遠用アイポイント間隔を求める構成としたので、左右の眼鏡レンズの遠用アイポイント間隔を求めることができる。
【００７３】
また、請求項５の発明は、請求項３に記載のレンズメータにおいて、前記被検レンズは眼鏡の左右のレンズ枠にそれぞれ枠入れされた眼鏡レンズであり、前記演算制御手段は左右の眼鏡レンズの近用アイポイントの座標から左右の眼鏡レンズの近用アイポイント間隔を求める構成としたので、左右の眼鏡レンズの近用アイポイント間隔を求めることができる。
【００７４】
更に、請求項６の発明は、請求項３に記載のレンズメータにおいて、前記被検レンズは眼鏡の左右のレンズ枠にそれぞれ枠入れされた眼鏡レンズであり、前記演算制御手段は左右の眼鏡レンズの遠用アイポイントの座標から左右の眼鏡レンズの遠用アイポイント間隔を求めると共に、前記演算制御手段は左右の眼鏡レンズの近用アイポイントの座標から左右の眼鏡レンズの近用アイポイント間隔を求める構成としたので、左右の眼鏡レンズの遠用アイポイント間隔や近用アイポイント間隔を求めることができる。
【００７５】
また、請求項７の発明は、請求項４〜６のいずれか一つに記載のレンズメータにおいて、少なくとも前記左右の眼鏡レンズの累進部及びアイポイントを表示させる表示装置と、前記眼鏡フレームの装用者の瞳孔間距離を入力する距離入力手段を備え、前記演算制御手段は前記間隔測定手段で測定されたアイポイント間隔と前記距離入力手段で入力された瞳孔間距離とに基づいて眼の画像を前記累進部及びアイポイントに重ねて前記表示装置に表示させると共に、前記演算制御手段は前記眼の画像を前記遠用アイポイントから近用アイポイントに輻輳させたときの状態を前記表示装置上でシュミレーション可能に設定されている構成としたので、左右の眼鏡レンズの遠用アイポイント間隔や近用アイポイント間隔が眼鏡使用者の遠用瞳孔間距離（遠用ＰＤ）や近用瞳孔間距離（近用ＰＤ）と一致しているか否かの判断をできる。
【図面の簡単な説明】
【図１】この発明に係るレンズメータの概略斜視図である。
【図２】図１のレンズメータの制御回路ずである。
【図３】図１のレンズメータの使用状態を示す要部拡大ずである。
【図４】図１のレンズメータの測定開始前の画面表示例を示す説明図である。
【図５】図１〜図３のレンズメータによる屈折特性測定時の表示画面の表示例を示す説明図である。
【図６】図５の表示画面の変化を示す説明図である。
【図７】図６の表示画面の変化を示す説明図である。
【図８】図７の表示画面の変化を示す説明図である。
【図９】図８の表示画面の変化を示す説明図である。
【図１０】図１〜図３のレンズメータによる屈折特性測定時の表示画面の他の表示例を示す説明図である。
【図１１】図１〜図３のレンズメータによる屈折特性測定時の表示画面の更に他の表示例を示す説明図である。
【図１２】図１１の表示画面の変化を示す説明図である。
【図１３】図１２の表示画面の変化を示す説明図である。
【図１４】図１３の表示画面の変化を示す説明図である。
【図１５】図１４の表示画面に加入度数を重ねて表示させると共に、遠用部，累進部，近用部を求めて表示させた説明図である。
【図１６】（ａ）はメガネの遠用アイポイント間隔及び近用アイポイント間隔の表示を示し、（ｂ）は（ａ）の画像にメガネフレームの画像を合成した例を示す説明図である。
【図１７】図１６のアイポイント間隔と瞳孔間距離との合成画像のシュミレーションの説明図である。
【図１８】図１６のアイポイント間隔と瞳孔間距離との合成画像のシュミレーションの説明図である。
【図１９】左右眼の遠用視時と近用視時の光軸の向きを示す説明図である。
【図２０】図９の近用視時の瞳孔の向きを瞳孔柱で示した説明図である。
【図２１】図１６のアイポイント間隔と瞳孔間距離との合成画像のシュミレーションの他の例を示す説明図である。
【符号の説明】
６・・・ＣＣＤ（受光センサ，受光手段）
１３・・・演算制御回路（演算処理手段、演算制御手段）
Ｌ・・・被検レンズ（ＭＬL，ＭＬR）
５０・・・遠用部
５１・・・累進部
５２・・・近用部
５３・・・累進線
Ｂi・・・バー（測定終了マーク）
ＥＰ１・・・遠用アイポイント
ｈ・・・上下線
Ｏ・・・測定光軸
Ｓi・・・座標
【図１】
0004583589.tif 000002
【図２】
0004583589.tif 000003
【図３】
0004583589.tif 000004
【図４】
0004583589.tif 000005
【図５】
0004583589.tif 000006
【図６】
0004583589.tif 000007
【図７】
0004583589.tif 000008
【図８】
0004583589.tif 000009
【図９】
0004583589.tif 000010
【図１０】
0004583589.tif 000011
【図１１】
0004583589.tif 000012
【図１２】
0004583589.tif 000013
【図１３】
0004583589.tif 000014
【図１４】
0004583589.tif 000015
【図１５】
0004583589.tif 000016
【図１６】
0004583589.tif 000017
【図１７】
0004583589.tif 000018
【図１８】
0004583589.tif 000019
【図１９】
0004583589.tif 000020
【図２０】
0004583589.tif 000021
【図２１】
0004583589.tif 000022